(57)【要約】【課題】居室を利用して効率よく他の部屋の温度を調節する。【解決手段】採光面を有する第１の部屋と、第１の部屋と通風管で連通する第２の部屋を有する建屋に設置されるコントローラ１００は、在室情報取得部１０２と照射量取得部１０３と遮光度合い決定部１０５と指示部１０６とを備える。在室情報取得部１０２は、第１の部屋の在室情報を取得する。照射量取得部１０３は、第１の部屋の採光面に照射される外光の照射量を取得する。遮光度合い決定部１０５は、在室情報と照射量とに基づき、採光面から第１の部屋内に照射される外光の量を調節する遮光部の遮光度合いを決定する。指示部１０６は、決定した遮光度合いにする指示を遮光部に送信する。【選択図】図５
2019174078.tif 000002
【特許請求の範囲】
【請求項１】
採光面を有する第１の部屋と、前記第１の部屋と通風管で連通する第２の部屋を有する建屋に設置されるコントローラにおいて、
前記第１の部屋の在室情報を取得する在室情報取得部と、
前記第１の部屋の採光面に照射される外光の照射量を取得する照射量取得部と、
前記在室情報取得部が取得した在室情報と、前記照射量取得部が取得した外光の照射量とに基づき、前記採光面から前記第１の部屋内に照射される外光の量を調節する遮光部の遮光度合いを決定する遮光度合い決定部と、
前記遮光度合い決定部が決定した遮光度合いにする指示を前記遮光部に送信する指示部と、
を備えることを特徴とするコントローラ。
【請求項２】
前記遮光度合い決定部は、前記在室情報から前記第１の部屋に人が居ないと判断でき、かつ、前記照射量が基準値以上である場合、前記第１の部屋内に外光が照射されるよう前記遮光部を制御する
ことを特徴とする請求項１に記載のコントローラ。
【請求項３】
前記建屋の所在地を含む地域に関する所定時間先の気候予測情報を取得する気候情報取得部
を備え、
前記遮光度合い決定部は、前記気候情報取得部が取得する気候予測情報から、外気温が予め定められた温度以下となると推測される場合に、前記在室情報と、前記照射量とに基づき、前記遮光部の遮光度合いを決定する
ことを特徴とする請求項１または２に記載のコントローラ。
【請求項４】
前記第１の部屋の温度を取得する室温取得部
を備え、
前記遮光度合い決定部は、前記在室情報取得部が取得した在室情報が前記第１の部屋に人が居ることを表す場合には、前記照射量取得部が取得した外光の照射量と、前記室温取得部が取得した第１の部屋の温度とから、前記第１の部屋の温度が予め定められた温度帯となるように前記遮光部の遮光度合いを決定する
ことを特徴とする請求項１から３のいずれか１項に記載のコントローラ。
【請求項５】
前記通風管の気流を調整する機器を制御する送風判定部と、
前記第１の部屋の温度と前記第２の部屋の温度とを取得する室温取得部と、を備え、
前記送風判定部は、前記室温取得部が取得した前記第１の部屋の温度と、前記第２の部屋の温度とに基づいて、前記第１の部屋から前記第２の部屋に空気を送るか否かを判定することを特徴とする請求項１から３のいずれか１項に記載のコントローラ。
【請求項６】
前記通風管の気流を調整する機器を制御する送風判定部を備え、
前記室温取得部は、前記第２の部屋の温度を取得し、
前記送風判定部は、前記室温取得部が取得した前記第１の部屋の温度と、前記第２の部屋の温度とに基づいて、前記第１の部屋から前記第２の部屋に空気を送るか否かを判定することを特徴とする請求項４に記載のコントローラ。
【請求項７】
前記送風判定部は、前記第２の部屋の温度が基準値より低く、かつ、前記第１の部屋の温度より低い場合に、前記第１の部屋から前記第２の部屋に空気を送ると判定する
ことを特徴とする請求項５または６に記載のコントローラ。
【請求項８】
前記送風判定部が前記第１の部屋から前記第２の部屋に空気を送ると判定した場合に、前記通風管に設けられ、前記第１の部屋から前記第２の部屋に空気を送る送風機に、空気を送る指示を送信する送風指示部
を備えることを特徴とする請求項５から７のいずれか１項に記載のコントローラ。
【請求項９】
ユーザの位置情報を取得する位置情報取得部
を備え、
前記送風判定部は、前記位置情報取得部が取得した前記ユーザの位置情報が前記建屋から限られた範囲内であることを表す場合に、前記第１の部屋から前記第２の部屋に空気を送ると判定する
ことを特徴とする請求項５から８のいずれか１項に記載のコントローラ。
【請求項１０】
前記第１の部屋から前記第２の部屋に空気を送ることを前記ユーザに通知する通知指示部と、
前記第１の部屋から前記第２の部屋に空気を送ることに対する前記ユーザの応答を取得する応答取得部と、
を備え、
前記送風指示部は、前記応答取得部が前記第１の部屋から前記第２の部屋に空気を送ることに対する前記ユーザの承諾を取得した場合に、前記送風機に空気を送る指示を送信する
ことを特徴とする請求項８または９に記載のコントローラ。
【請求項１１】
前記第１の部屋と前記第２の部屋を含む建屋の間取り図を表示させ、前記間取り図の第１の部屋に相当する領域を、前記外光の照射による第１の部屋の上昇温度に応じた形態で表示させる表示指示部
を備えることを特徴とする請求項５から１０のいずれか１項に記載のコントローラ。
【請求項１２】
前記表示指示部は、前記間取り図の第２の部屋に相当する領域を、前記第１の部屋から前記第２の部屋に空気を送ることによる第２の部屋の上昇温度に応じた形態で表示させる
ことを特徴とする請求項１１に記載のコントローラ。
【請求項１３】
採光面を有する第１の部屋と、前記第１の部屋とは異なる第２の部屋とを連通する通風管を備えた建屋に設置される温度調節システムにおいて、
前記第１の部屋に人が居るか居ないかを表す在室情報を取得する在室情報取得部と、
前記第１の部屋の採光面に照射される外光の照射量を取得する照射量取得部と、
前記在室情報取得部が取得した在室情報と、前記照射量取得部が取得した外光の照射量とに基づき、前記採光面に設けられる遮光部の遮光度合いを決定する遮光度合い決定部と、
前記遮光度合い決定部が決定した遮光度合いにする指示を前記遮光部に送信する指示部と、
を備えることを特徴とする温度調節システム。
【請求項１４】
採光面を有する第１の部屋と、前記第１の部屋と通風管で連通する第２の部屋を有する建屋に設置される温度調節方法において、
在室情報取得部が前記第１の部屋に人が居るか居ないかを表す在室情報を取得する在室情報取得ステップと、
照射量取得部が前記第１の部屋の採光面に照射される外光の照射量を取得する照射量取得ステップと、
遮光度合い決定部が前記在室情報取得ステップで取得した在室情報と、前記照射量取得ステップで取得した外光の照射量とに基づき、前記採光面に設けられる遮光部の遮光度合いを決定する遮光度合い決定ステップと、
指示部が前記遮光度合い決定ステップで決定した遮光度合いにする指示を前記遮光部に送信する指示ステップと、
を有することを特徴とする温度調節方法。
【請求項１５】
コンピュータに、
採光面を有する第１の部屋に人が居るか居ないかを表す在室情報を取得する在室情報取得ステップ、
前記第１の部屋の採光面に照射される外光の照射量を取得する照射量取得ステップ、
前記在室情報取得ステップで取得した在室情報と、前記照射量取得ステップで取得した外光の照射量とに基づき、前記採光面に設けられる遮光部の遮光度合いを決定する遮光度合い決定ステップ、
前記遮光度合い決定ステップで決定した遮光度合いにする指示を前記遮光部に送信する指示ステップ、
を実行させるためのプログラム。
【発明の詳細な説明】
【技術分野】
【０００１】
本発明は、コントローラ、温度調節システム、温度調節方法、およびプログラムに関する。
【背景技術】
【０００２】
省エネルギーに対する要求は近年さらに高まっており、特に冬季や寒冷地における暖房にかかるエネルギー消費量を削減することが望まれている。例えば、特許文献１には、サンヒーティングルームに設置されたブラインドのフィン角度を自動制御して、サンヒーティングルームと透光面で接した部屋へサンヒーティングルームの暖気を伝える温度調節システムが開示されている。
【先行技術文献】
【特許文献】
【０００３】
【特許文献１】特開２００９−２９９３１４号公報
【発明の概要】
【発明が解決しようとする課題】
【０００４】
しかしながら、特許文献１に提案されている温度調節システムでは、住宅内にサンヒーティングルームを用意する必要があり、狭い土地では居室を有効活用できないことがある。
【０００５】
発明は、上記の課題を解決するためになされたものであり、在室状況と太陽光の照射状況に応じて採光の要否を判断することにより、居室を利用して効率よく他の部屋の温度を調節することを目的とする。
【課題を解決するための手段】
【０００６】
上記の目的を達するため、本発明に係るコントローラは、採光面を有する第１の部屋と、第１の部屋と通風管で連通する第２の部屋を有する建屋に設置されるコントローラにおいて、第１の部屋の在室情報を取得する在室情報取得部と、第１の部屋の採光面に照射される外光の照射量を取得する照射量取得部と、在室情報取得部が取得した在室情報と、照射量取得部が取得した外光の照射量とに基づき、採光面から第１の部屋内に照射される外光の量を調節する遮光部の遮光度合いを決定する遮光度合い決定部と、遮光度合い決定部が決定した遮光度合いにする指示を遮光部に送信する指示部と、を備える。
【０００７】
また本発明に係る温度調節システムは、採光面を有する第１の部屋と、第１の部屋とは異なる第２の部屋とを連通する通風管を備えた建屋に設置される温度調節システムにおいて、第１の部屋の在室情報を取得する在室情報取得部と、第１の部屋の採光面に照射される外光の照射量を取得する照射量取得部と、在室情報取得部が取得した在室情報と、照射量取得部が取得した外光の照射量とに基づき、採光面から第１の部屋内に照射される外光の量を調節する遮光部の遮光度合いを決定する遮光度合い決定部と、遮光度合い決定部が決定した遮光度合いにする指示を遮光部に送信する指示部と、を備える。
【０００８】
また本発明に係る温度調節方法は、採光面を有する第１の部屋と、第１の部屋と通風管で連通する第２の部屋を有する建屋に設置される温度調節方法において、第１の部屋の在室情報を取得する在室情報取得ステップと、第１の部屋の採光面に照射される外光の照射量を取得する照射量取得ステップと、在室情報取得ステップで取得した在室情報と、照射量取得ステップで取得した外光の照射量とに基づき、採光面から第１の部屋内に照射される外光の量を調節する遮光部の遮光度合いを決定する遮光度合い決定ステップと、遮光度合い決定ステップで決定した遮光度合いにする指示を遮光部に送信する指示ステップと、を有する。
【０００９】
また本発明に係るプログラムは、コンピュータに、採光面を有する第１の部屋の在室情報を取得する在室情報取得ステップ、第１の部屋の採光面に照射される外光の照射量を取得する照射量取得ステップ、在室情報取得ステップで取得した在室情報と、照射量取得ステップで取得した外光の照射量とに基づき、採光面から第１の部屋内に照射される外光の量を調節する遮光部の遮光度合いを決定する遮光度合い決定ステップ、遮光度合い決定ステップで決定した遮光度合いにする指示を遮光部に送信する指示ステップ、を実行させる。
【発明の効果】
【００１０】
本発明に係るコントローラによれば、採光面を有する第１の部屋と、第１の部屋と通風管で連通する第２の部屋を有する建屋に設置されるコントローラにおいて、第１の部屋の在室情報を取得する在室情報取得部と、第１の部屋の採光面に照射される外光の照射量を取得する照射量取得部と、在室情報取得部が取得した在室情報と、照射量取得部が取得した外光の照射量とに基づき、採光面から第１の部屋内に照射される外光の量を調節する遮光部の遮光度合いを決定する遮光度合い決定部と、遮光度合い決定部が決定した遮光度合いにする指示を遮光部に送信する指示部と、を備えるので、在室状況と太陽光の照射状況に応じて採光の要否を判断することにより、居室を利用して効率よく他の部屋の温度調節をすることができる。
【００１１】
また、本発明に係る温度調節システムによれば、採光面を有する第１の部屋と、第１の部屋とは異なる第２の部屋とを連通する通風管を備えた建屋に設置される温度調節システムにおいて、第１の部屋の在室情報を取得する在室情報取得部と、第１の部屋の採光面に照射される外光の照射量を取得する照射量取得部と、在室情報取得部が取得した在室情報と、照射量取得部が取得した外光の照射量とに基づき、採光面から第１の部屋内に照射される外光の量を調節する遮光部の遮光度合いを決定する遮光度合い決定部と、遮光度合い決定部が決定した遮光度合いにする指示を遮光部に送信する指示部と、を備えるので、在室状況と太陽光の照射状況に応じて採光の要否を判断することにより、居室を利用して効率よく他の部屋の温度調節をすることができる。
【００１２】
また、本発明に係る温度調節方法によれば、採光面を有する第１の部屋と、第１の部屋と通風管で連通する第２の部屋を有する建屋に設置される温度調節方法において、第１の部屋の在室情報を取得する在室情報取得ステップと、第１の部屋の採光面に照射される外光の照射量を取得する照射量取得ステップと、在室情報取得ステップで取得した在室情報と、照射量取得ステップで取得した外光の照射量とに基づき、採光面から第１の部屋内に照射される外光の量を調節する遮光部の遮光度合いを決定する遮光度合い決定ステップと、遮光度合い決定ステップで決定した遮光度合いにする指示を遮光部に送信する指示ステップと、を有するので、在室状況と太陽光の照射状況に応じて採光の要否を判断することにより、居室を利用して効率よく他の部屋の温度調節をすることができる。
【００１３】
また、本発明に係るプログラムによれば、コンピュータに、採光面を有する第１の部屋の在室情報を取得する在室情報取得ステップ、第１の部屋の採光面に照射される外光の照射量を取得する照射量取得ステップ、在室情報取得ステップで取得した在室情報と、照射量取得ステップで取得した外光の照射量とに基づき、採光面から第１の部屋内に照射される外光の量を調節する遮光部の遮光度合いを決定する遮光度合い決定ステップ、遮光度合い決定ステップで決定した遮光度合いにする指示を遮光部に送信する指示ステップ、を実行させるので、在室状況と太陽光の照射状況に応じて採光の要否を判断することにより、居室を利用して効率よく他の部屋の温度調節をすることができる。
【図面の簡単な説明】
【００１４】
【図１】実施の形態１に係る温度調節システムの構成例を示す図である。
【図２】実施の形態１に係る気候予測情報の一例を示す図である。
【図３】実施の形態１に係る気候予測情報の他の例を示す図である。
【図４】実施の形態１に係るルーバーの開閉動作を説明する図である。
【図５】実施の形態１に係るコントローラの機能構成図である。
【図６】実施の形態１に係るルーバーの開閉度合いの一例を示す図である。
【図７】実施の形態１に係るコントローラがルーバーを制御する処理の一例を示すフローチャートである。
【図８】実施の形態１に係るコントローラが送風機を制御する処理の一例を示すフローチャートである。
【図９】実施の形態２に係る温度調節システムの構成例を示す図である。
【図１０】実施の形態２に係るコントローラの機能構成図である。
【図１１】実施の形態２に係る情報端末が表示する画面の一例を示す図である。
【図１２】実施の形態２に係るコントローラが送風機を制御する処理の一例を示すフローチャートである。
【図１３】実施の形態３に係る温度調節システムの構成例を示す図である。
【図１４】実施の形態３に係るコントローラの機能構成図である。
【図１５】実施の形態３に係る表示端末が表示する画面の一例を示す図である。
【図１６】実施の形態３に係るコントローラが表示端末を制御する処理の一例を示すフローチャートである。
【図１７】本発明に係るコントローラのハードウェア構成例を示す図である。
【発明を実施するための形態】
【００１５】
以下に、本発明を実施するための形態について図面を参照して詳細に説明する。なお、図中同一または相当する部分には同じ符号を付す。
【００１６】
（実施の形態１）
図１は、本発明の実施の形態１に係る温度調節システムの構成例を示す図である。温度調節システム１０００は、建屋Ｈにおいて、採光面に相当する窓３０を有する第１の部屋１１と、採光面を有しない第２の部屋１２の温度を調節するシステムである。採光面に相当する窓３０は、第１の部屋１１の中に外光を入射させるために設けられる。窓３０は、第１の部屋１１と建屋Ｈの外部とを隔てる壁Ｗに設けられる。壁Ｗは、断熱性能の高い断熱材を用いて、入射した外光により上昇した第１の部屋１１の温度が建屋Ｈの外部に逃げないようにするのが望ましい。ここで、本実施の形態では、採光面として窓３０を用いた例を示したが、採光面は外光を室内に取り入れることが出来れば良いものであり、窓の形状、形態、材質等を限定するものではない。
【００１７】
温度調節システム１０００は、コントローラ１００と、第１の温度センサ２１と、第２の温度センサ２２と、遮光部３１と、通風管４０と、送風機４１と、太陽光発電装置５０と、サーバ６０とで構成される。コントローラ１００は、建屋Ｈに設けられ、建屋内ネットワークＮ１を介して、建屋Ｈに設けられる第１の温度センサ２１、第２の温度センサ２２、遮光部３１、送風機４１、太陽光発電装置５０と通信可能である。第１の温度センサ２１は、第１の部屋１１に設けられ、第１の部屋１１の温度を測定する。第２の温度センサ２２は、第２の部屋１２に設けられ、第２の部屋１２の温度を測定する。コントローラ１００は、第１の温度センサ２１が測定する第１の部屋１１の温度を表す信号と、第２の温度センサ２２が測定する第２の部屋１２の温度を表す信号とを建屋内ネットワークＮ１を介して受信する。
【００１８】
太陽光発電装置５０は、図示しない太陽光発電モジュールと、パワーコンディショナで構成され、太陽光発電モジュールによって発電された発電電力をパワーコンディショナが直流電力から交流電力に変換する。太陽光発電装置５０は、パワーコンディショナが検知する太陽光発電モジュールの出力電圧から発電量を示す発電情報を出力する。コントローラ１００は、建屋内ネットワークＮ１を介して、太陽光発電装置５０から発電情報を受信する。コントローラ１００は、上記以外に太陽光発電装置５０から建屋Ｈに供給される交流電力を図示しない電流センサで計測することにより、太陽光発電装置５０の発電情報を取得してもよい。なお、太陽光発電装置５０が図示しない発電量モニタを備えている場合は、太陽光発電装置５０が建屋内ネットワークＮ１を介して、コントローラ１００に発電量モニタの計測値を発電情報として送信する構成であってもよい。
【００１９】
コントローラ１００は、また、広域ネットワークＮ２を介して、建屋Ｈの外部に設けられるサーバ６０とも通信可能である。サーバ６０は、気象庁や民間のサービス業者などが運用するコンピュータであり、建屋Ｈの所在地を含む地域に関する少なくとも所定時間以内の気候予測情報を配信する。広域ネットワークＮ２は、インターネット網や第３世代、第４世代通信網等などの公衆回線のほか、光ファイバ等を用いた専用回線であってもよい。サーバ６０がコントローラ１００に提供する気候予測情報は、少なくとも、当日と翌日の予想外気温度を含む。
【００２０】
図２は、コントローラ１００が取得する気候予測情報の一例を示す図である。コントローラ１００が取得する気候予測情報には、例えば、予測対象日の３０分ごとの予想外気温度が含まれる。ここで、図２は、コントローラ１００が２０１８年２月１日６時に取得する気候予測情報を示しており、２０１８年２月１日６時から２０１８年２月２日２３時３０分までの予想外気温度が含まれている。予想外気温度は、一定時間ごとの外気温度を予測した情報であることが望ましいが、一日の外気温度の最高と最低を予測した情報、または、一日の外気温度の平均を予測した情報であってもよい。図３は、コントローラ１００が取得する気候予測情報の他の例を示す図である。
【００２１】
図１に戻り、遮光部３１は、第１の部屋１１の窓３０を覆う位置に取り付けられ、第１の部屋１１に入射する外光の入射量を調節する。遮光部３１は、例えば、細長い板状の部材を、隙間をあけて平行に組んだ複数のルーバー３１ａと外部からの信号を受けてルーバー３１ａの角度を制御する調節機構３１ｂで構成されている。本実施の形態では、遮光部３１をルーバー３１ａと調節機構３１ｂとで構成したもので示したが、遮光部３１は窓３０から入射する外光の入射量を調節可能であれば良いものであり、例えば自動開閉機能を有するカーテン、シャッター、ブラインド等で構成しても良い。通風管４０は、第１の部屋１１および第２の部屋１２のそれぞれの天井、壁、床等に設けられる開口をつなぐ管である。第１の部屋１１の空気は、第１の部屋１１に設けられる開口から通風管４０に入り、第２の部屋１２に設けられる開口を経て第２の部屋１２の中に入ることができる。すなわち、通風管４０は、第１の部屋１１と第２の部屋１２の間の空気を通す管である。送風機４１は、通風管４０内に風を送る機器である。
【００２２】
コントローラ１００は、太陽光発電装置５０の発電情報と、サーバ６０が配信する気候予測情報と、第１の温度センサ２１と第２の温度センサ２２の測定温度とに基づき、送風機４１への送風指令と、遮光部３１への開閉指令をそれぞれ送る。送風機４１は、コントローラ１００の送風指令を受けて稼働し、通風管４０内に第１の部屋１１から第２の部屋１２に向かう空気の流れを生成する。また、遮光部３１は、コントローラ１００の開閉指令を受けて調節機構３１ｂを稼働してルーバー３１ａの引き出し量および角度の少なくともいずれかを制御し、第１の部屋１１に入射する外光の入射量を調節する。建屋内ネットワークＮ１の通信方式は、無線方式、有線方式及びこれらの組み合わせのいずれかである。また、建屋内ネットワークＮ１は、インターネット、専用線及びこれらの組み合わせのいずれかである。また、建屋内ネットワークＮ１として、ＥＣＨＯＮＥＴ  Ｌｉｔｅ（登録商標）に準じたネットワークを用いてもよい。
【００２３】
図４は、本発明の実施の形態１に係る遮光部３１がルーバー３１ａの開閉動作によって遮光度合いを調節する方法を説明する図である。図４（ａ）は、ルーバー３１ａがすべて上部に収納された状態であり、「全開」の状態を示している。図４（ａ）において、窓３０から入射する外光の入射量は最大となり、遮光度合いとしては最も低い状態であることを示している。図４（ｂ）は、ルーバー３１ａがすべて引き出された状態であり、「全閉」の状態を示している。図４（ｂ）において、窓３０から入射する外光の入射量は最小となり、遮光度合いとしては最も高い状態であることを示している。図４（ｃ）は、ルーバー３１ａの一部が引き出された状態であり、「半開」の状態である。図４（ｃ）において、引き出されるルーバー３１ａの長さを調節することによって、窓３０から入射する外光の入射量を調節し、遮光度合いを任意の値に調整する。なお、図４（ｃ）のように引き出されるルーバー３１ａの長さを調節するかわりに、ルーバー３１ａの角度を調整することによって、窓３０から入射する外光の入射量を調節してもよい。例えば、図４（ｄ）は、ルーバー３１ａがすべて引き出された状態で、ルーバー角度を調整した状態である。
【００２４】
図５は、実施の形態１に係るコントローラ１００の機能構成図である。コントローラ１００は、室温取得部１０１、在室情報取得部１０２、照射量取得部１０３、気候情報取得部１０４、遮光度合い決定部１０５、指示部１０６、送風判定部１０７、および送風指示部１０８を備える。
【００２５】
室温取得部１０１は、第１の温度センサ２１および第２の温度センサ２２から温度を表す信号を受信して、第１の部屋１１の温度と第２の部屋１２の温度を取得する。在室情報取得部１０２は、第１の部屋１１に人が居るか否かを表す在室情報を取得する。在室情報取得部１０２が取得する在室情報は、例えば、第１の部屋１１に設けられ、建屋内ネットワークＮ１に接続される図示しないテレビ、空調機、冷蔵庫、ＩＨ調理器、照明器具などの家電機器の稼動状態であり、在室情報取得部１０２は、家電機器が新たに稼動されるか稼働中であることを、建屋内ネットワークＮ１を介して取得すると、第１の部屋１１に人が居ると判定する。
【００２６】
照射量取得部１０３は、太陽光発電装置５０の発電量を示す発電情報から、窓３０に照射される外光の照射量を取得する。気候情報取得部１０４は、建屋Ｈの所在地を含む地域に関する少なくとも所定時間以内の気候予測情報を、広域ネットワークＮ２を介してサーバから取得する。
【００２７】
遮光度合い決定部１０５は、室温取得部１０１が取得した第１の部屋１１の温度と、在室情報取得部１０２が取得した第１の部屋１１の在室情報と、照射量取得部１０３が予測した窓３０に照射する外光の照射量と、気候情報取得部１０４が取得した気候予測情報とに基づき、遮光部３１の遮光度合いを決定する。
【００２８】
遮光度合い決定部１０５は、気候情報取得部１０４が取得した気候予測情報に含まれる予想外気温度から、当日または翌日の外気温度が閾値を下回るか否かを判定する。遮光度合い決定部１０５は、例えば、図２に示す当日と翌日の予想外気温度のうち、１０℃を下回る時間帯が２時間以上連続する場合に、外気温度が閾値を下回ると判定する。遮光度合い決定部１０５が判定に用いる温度と連続時間は、これに限らず、任意の値でよい。
【００２９】
遮光度合い決定部１０５は、当日または翌日の外気温度が閾値を下回ると判定した場合に、在室情報取得部１０２が第１の部屋１１に人が居ないと判定していれば、照射量取得部１０３が取得した窓３０に照射する外光の照射量から、遮光部３１の遮光度合いを決定する。一方、遮光度合い決定部１０５は、当日または翌日の外気温度が閾値を下回ると判定した場合に、在室情報取得部１０２が第１の部屋１１に人が居ると判定していれば、照射量取得部１０３が予測した窓３０に照射する外光の照射量と、室温取得部１０１が取得した第１の部屋１１の温度とに基づき遮光部３１の遮光度合いを決定する。
【００３０】
図６は、実施の形態１に係る遮光度合い決定部１０５が決定する遮光部３１の遮光度合いを決定する一例を示す図である。図５において、遮光度合い決定部１０５が決定する遮光部３１の遮光度合いは、ルーバー３１ａの開閉度合いとして数値化しており、ルーバー３１ａが窓３０を覆う割合を０から１までの数値で表現している。ここで、０はルーバー３１ａをすべて上部に収納した状態である「全開」にすることを示し、１はルーバー３１ａをすべて引き出した状態である「全閉」にすることを示している。また、０より大きい１未満の数値は、ルーバー３１ａが窓３０の一部を覆うことを示している。
【００３１】
第１の部屋１１に人が居ない場合、照射量取得部１０３が取得した窓３０に照射する外光の照射量が基準値以上であれば、遮光度合い決定部１０５は、遮光部３１の遮光度合いが最小となるようにルーバー３１ａを「全開」とするよう決定して、窓３０に照射する外光を全て取り込む。窓３０に照射する外光の照射量の基準値とは、例えば、第１の部屋１１の温度を上昇させる照射量である。
【００３２】
窓３０に照射する外光の照射量が基準値に満たない場合は、遮光度合い決定部１０５は、遮光部３１の遮光度合いを変更しないよう決定する。例えば、ユーザがルーバー３１ａを予め全閉にしている場合、遮光度合い決定部１０５はルーバー３１ａの全閉状態を継続させる。図５に示す例では、第１の部屋１１の温度を上昇させる照射量を、０．５ｋＷ／平方メートル以上としているが、第１の部屋１１の温度を上昇させる照射量は、窓３０の面積や透光率によって定められればよい。
【００３３】
一方、第１の部屋１１に人が居る場合、遮光度合い決定部１０５は、第１の部屋１１の温度が、人が快適と感じる温度帯となるよう遮光部３１の遮光度合いを決定する。例えば、窓３０に照射する外光の照射量が第１の部屋１１の温度を上昇させる値に満たず、かつ、第１の部屋１１の温度が、人が快適と感じる温度帯よりも低ければ、遮光度合い決定部１０５は、遮光部３１の遮光度合いが最大となるようにルーバー３１ａを「全閉」とするよう決定して、第１の部屋１１内の熱が窓３０から放熱することを抑制し、第１の部屋１１の温度が下がることを防ぐことができる。
【００３４】
また、例えば、窓３０に照射する外光の照射量が第１の部屋１１の温度を上昇させる値であり、かつ、第１の部屋１１の温度が、人が快適と感じる温度帯よりも低ければ、遮光度合い決定部１０５は、遮光部３１の遮光度合いが最小となるようにルーバー３１ａを「全開」とするよう決定して、窓３０から外光を全て取り込む。また、例えば、窓３０に照射する外光の照射量が第１の部屋１１の温度を上昇させる値であり、かつ、第１の部屋１１の温度が、人が快適と感じる温度帯よりも高ければ、遮光度合い決定部１０５は、遮光部３１の遮光度合いが最大となるようにルーバー３１ａを「全閉」とするよう決定して、窓３０から外光を取り込まないようにする。
【００３５】
また、例えば、第１の部屋１１の温度が、人が快適と感じる温度帯である場合は、第１の部屋１１の温度に応じて、窓３０の一部が覆われるよう遮光部３１の遮光度合いを決定する構成であってもよい。図５では、１８℃〜２６℃を人が快適と感じる温度帯として説明したが、これに限らず、遮光度合い決定部１０５が１８℃〜２６℃以外を人が快適と感じる温度帯として動作するよう構成してもよい。
【００３６】
指示部１０６は、遮光度合い決定部１０５が決定した遮光度合いになるようなルーバー３１ａの開閉度合いを、建屋内ネットワークＮ１を介して、遮光部３１に送信する。
【００３７】
送風判定部１０７は、室温取得部１０１が取得した第１の部屋１１の温度と、第２の部屋１２の温度とに基づき、第１の部屋１１から第２の部屋１２に空気を送るか否かを判定する。第２の部屋１２の温度が基準値より低く、かつ、第２の部屋１２の温度が第１の部屋１１の温度より低い場合に、送風判定部１０７は、第１の部屋１１から第２の部屋１２に空気を送ると判定する。ここで、基準値とは、人が快適と感じる温度帯の下限値である。一方、第２の部屋１２の温度が基準値以上、または、第２の部屋１２の温度が第１の部屋１１の温度以上である場合には、送風判定部１０７は、第１の部屋１１から第２の部屋１２に空気を送らないと判定する。
【００３８】
送風指示部１０８は、送風判定部１０７が第１の部屋１１から第２の部屋１２に空気を送ると判定した場合に、送風機４１に稼動指示を送信し、第１の部屋１１から第２の部屋１２に空気を送らないと判定した場合に、送風機４１に停止指示を送信する。
【００３９】
次に実施の形態１に係るコントローラ１００の動作について、図７と図８を参照して説明する。図７は、実施の形態１に係るコントローラ１００がルーバー３１を制御する処理の一例を示すフローチャート、図８は、実施の形態１に係るコントローラ１００が送風機４１を制御する処理の一例を示すフローチャートである。コントローラ１００の制御プログラムは、コントローラ１００の電源を入れると起動し、図７および図８に示す処理を予め定められた時間ごとに並列に実行させ、コントローラ１００の電源が切られると終了する。
【００４０】
まず、図７の遮光部３１を制御する処理について説明する。ステップＳ１０１において、気候情報取得部１０４は、建屋Ｈの所在地を含む地域に関する気候予測情報を、広域ネットワークＮ２を介してサーバから取得する。ステップＳ１０１に続いて、ステップＳ１０２において、気候情報取得部１０４がステップＳ１０１で取得した気候予測情報に含まれる予想外気温度から、当日または翌日の外気温度が閾値を下回っていれば、ステップＳ１０４に進み、照射量取得部１０３は、窓３０に照射される外光の照射量を取得する。
【００４１】
ステップＳ１０４に続いて、ステップＳ１０５において、在室情報取得部１０２は、第１の部屋１１の在室情報を取得する。ステップＳ１０５に続いて、ステップＳ１０６において、在室情報取得部１０２がステップＳ１０５で取得した在室情報が第１の部屋１１に人が居ないことを表していれば、ステップＳ１０７に進み、第１の部屋１１に人が居ることを表していれば、ステップＳ１０９に進む。
【００４２】
ステップＳ１０７において、照射量取得部１０３がステップＳ１０４で取得した窓３０に照射される外光の照射量が基準値以上であれば、遮光度合い決定部１０５は、ステップＳ１０８に進み、外光の照射量が基準値に満たない場合は、ステップＳ１０３に進む。ステップＳ１０８において、遮光度合い決定部１０５は、遮光部３１の遮光度合いが最小となるようにルーバー３１ａを「全開」にするよう決定する。
【００４３】
ステップＳ１０９において、室温取得部１０１は、建屋内ネットワークＮ１を介して、第１の温度センサ２１から第１の部屋１１の温度を取得する。ステップＳ１０９に続いて、ステップＳ１１０において、遮光度合い決定部１０５は、照射量取得部１０３がステップＳ１０４で取得した外光の照射量と、室温取得部１０１がステップＳ１０９で取得した第１の部屋１１の温度とに基づき、第１の部屋１１の温度が、人が快適と感じる温度帯となるように遮光部３１の遮光度合いを決定する。
【００４４】
ステップＳ１０８およびステップＳ１１０に続いて、ステップＳ１１１において、指示部１０６は、遮光度合い決定部１０５がステップＳ１０７またはステップＳ１０９で決定した遮光部３１の遮光度合いに対応したルーバー３１ａの開閉度合いの情報を、遮光部３１に送信する。
【００４５】
次に図８の送風機４１を制御する処理について説明する。ステップＳ１５１およびステップＳ１５２        において、室温取得部１０１は、建屋内ネットワークＮ１を介して、第１の温度センサ２１と第２の温度センサ２２からそれぞれ第１の部屋１１の温度と第２の部屋１２の温度を取得する。ステップＳ１５２に続いて、ステップＳ１５３において、第２の部屋１２の温度が基準値より低く、かつ、第２の部屋１２の温度が第１の部屋１１の温度より低ければ、送風判定部１０７は、ステップＳ１５４に進み、第１の部屋１１から第２の部屋１２に空気を送ると判定する。
【００４６】
一方、送風判定部１０７は、ステップＳ１５３において、第２の部屋１２の温度が基準値以上、または、第２の部屋１２の温度が第１の部屋１１の温度以上であれば、ステップＳ１５５に進み、送風機４１を停止させることにより、第１の部屋１１から第２の部屋１２に空気を送らないと判定する。
【００４７】
ステップＳ１５４およびステップＳ１５５に続いて、ステップＳ１５６において、送風指示部１０８は、送風判定部１０７がステップＳ１５４またはステップＳ１５５で判定した結果に基づき、送風機４１に指示を送信する。
【００４８】
以上で説明したように、実施の形態１に係るコントローラ１００によれば、採光面を有する第１の部屋１１と、第１の部屋１１と通風管４０で連通する第２の部屋１２を有する建屋Ｈに設置されるコントローラにおいて、第１の部屋１１の在室情報を取得する在室情報取得部１０２と、第１の部屋１１の採光面に照射される外光の照射量を取得する照射量取得部１０３と、在室情報取得部１０２が取得した在室情報と、照射量取得部１０３が取得した外光の照射量とに基づき、採光面から第１の部屋１１内に照射される外光の量を調節する遮光部３１の遮光度合いを決定する遮光度合い決定部１０５と、遮光度合い決定部１０５が決定した遮光度合いにする指示を遮光部３１に送信する指示部１０６と、を備えるので、在室状況と太陽光の照射状況に応じて採光の要否を判断することにより、居室を利用して効率よく他の部屋の温度調節をすることができる。
【００４９】
また、実施の形態１に係るコントローラ１００によれば、遮光度合い決定部１０５は、在室情報から第１の部屋１１に人が居ないと判断でき、かつ、照射量が基準値以上である場合、第１の部屋１１内に外光が照射されるように遮光部を制御するので、不在の居室を利用して、他の部屋の温度調節をすることができる。
【００５０】
また、実施の形態１に係るコントローラ１００によれば、建屋Ｈの所在地を含む地域に関する所定時間先の気候予測情報を取得する気候情報取得部１０４を備え、遮光度合い決定部１０５は、気候情報取得部１０４が取得する気候予測情報から、外気温が予め定められた温度以下となると推測される場合に、在室情報と、照射量とに基づき、遮光部３１の遮光度合いを決定するので、温度調節が必要なときのみ採光して、外気温度低下に備えることができる。
【００５１】
また、実施の形態１に係るコントローラ１００によれば、第１の部屋１１の温度を取得する室温取得部１０１を備え、遮光度合い決定部１０５は、在室情報取得部１０２が取得した在室情報が第１の部屋１１に人が居ることを表す場合には、照射量取得部１０３が取得した外光の照射量と、室温取得部１０１が取得した第１の部屋１１の温度とから、第１の部屋１１の温度が予め定められた温度帯となるように遮光部３１の遮光度合いを決定するので、第１の部屋１１に人が居るときでも、第１の部屋１１の快適性を保持しつつ、他の部屋の温度調節をすることができる。
【００５２】
また、実施の形態１に係るコントローラ１００によれば、通風管の気流を調整する機器を制御する送風判定部１０７と、第１の部屋１１の温度と第２の部屋１２の温度とを取得する室温取得部１０１と、を備え、送風判定部１０７は、室温取得部１０１が取得した第１の部屋１１の温度と、第２の部屋１２の温度とに基づいて、第１の部屋１１から第２の部屋１２に空気を送るか否かを判定するので、第２の部屋１２を快適な温度に調節することができる。
【００５３】
また、実施の形態１に係るコントローラ１００によれば、通風管の気流を調整する機器を制御する送風判定部１０７を備え、室温取得部１０１は、第２の部屋１２の温度を取得し、送風判定部１０７は、室温取得部１０１が取得した第１の部屋１１の温度と、第２の部屋１２の温度とに基づいて、第１の部屋１１から第２の部屋１２に空気を送るか否かを判定するので、第２の部屋１２を快適な温度に調節することができる。
【００５４】
また、実施の形態１に係るコントローラ１００によれば、送風判定部１０７は、第２の部屋１２の温度が基準値より低く、かつ、第１の部屋１１の温度より低い場合に、第１の部屋１１から第２の部屋１２に空気を送ると判定するので、第２の部屋１２を快適な温度に調節することができる。
【００５５】
また、実施の形態１に係るコントローラ１００によれば、送風判定部１０７が第１の部屋１１から第２の部屋１２に空気を送ると判定した場合に、通風管４０に設けられ、第１の部屋１１から第２の部屋１２に空気を送る送風機４１に、空気を送る指示を送信する送風指示部１０８を備えるので、第２の部屋１２を短時間で快適な温度に調節することができる。
【００５６】
また、実施の形態１に係る温度調節システム１０００によれば、採光面を有する第１の部屋１１と、第１の部屋１１とは異なる第２の部屋１２とを連通する通風管４０を備えた建屋に設置される温度調節システムにおいて、第１の部屋１１の在室情報を取得する在室情報取得部１０２と、第１の部屋１１の採光面に照射される外光の照射量を取得する照射量取得部１０３と、在室情報取得部１０２が取得した在室情報と、照射量取得部１０３が取得した外光の照射量とに基づき、採光面から第１の部屋１１内に照射される外光の量を調節する遮光部３１の遮光度合いを決定する遮光度合い決定部１０５と、遮光度合い決定部１０５が決定した遮光度合いにする指示を遮光部３１に送信する指示部１０６と、を備えるので、在室状況と太陽光の照射状況に応じて採光の要否を判断することにより、居室を利用して効率よく他の部屋の温度調節をすることができる。
【００５７】
また、実施の形態１に係る温度調節方法によれば、採光面を有する第１の部屋と、第１の部屋と通風管で連通する第２の部屋を有する建屋に設置される温度調節方法において、第１の部屋の在室情報を取得する在室情報取得ステップと、第１の部屋の採光面に照射される外光の照射量を取得する照射量取得ステップと、在室情報取得ステップで取得した在室情報と、照射量取得ステップで取得した外光の照射量とに基づき、採光面から第１の部屋内に照射される外光の量を調節する遮光部の遮光度合いを決定する遮光度合い決定ステップと、遮光度合い決定ステップで決定した遮光度合いにする指示を遮光部に送信する指示ステップと、を有するので、在室状況と太陽光の照射状況に応じて採光の要否を判断することにより、居室を利用して効率よく他の部屋の温度調節をすることができる。
【００５８】
また、本発明に係るプログラムによれば、コンピュータに、採光面を有する第１の部屋の在室情報を取得する在室情報取得ステップ、第１の部屋の採光面に照射される外光の照射量を取得する照射量取得ステップ、在室情報取得ステップで取得した在室情報と、照射量取得ステップで取得した外光の照射量とに基づき、採光面から第１の部屋内に照射される外光の量を調節する遮光部の遮光度合いを決定する遮光度合い決定ステップ、遮光度合い決定ステップで決定した遮光度合いにする指示を遮光部に送信する指示ステップ、を実行させるので、在室状況と太陽光の照射状況に応じて採光の要否を判断することにより、居室を利用して効率よく他の部屋の温度調節をすることができる。
【００５９】
本実施の形態では、第１の部屋１１に人が居る場合、遮光度合い決定部１０５が図５に例示した外光の照射量と第１の部屋１１の温度との組合せに対応する遮光度合いに基づき、第１の部屋１１の温度を人が快適と感じる温度帯となるよう遮光部３１の遮光度合いを決定する例を示した。本発明において、第１の部屋１１の温度を人が快適と感じる温度帯となるよう遮光部３１の遮光度合いを決定する方法はこれに限られない。例えば、外光の照射量をＳｒ、第１の部屋１１の温度をＴａとして、関数ｆ（Ｓｒ，Ｔａ）を作成しておき、遮光度合い決定部１０５が遮光部３１の遮光度合いＬｏを、Ｌｏ＝ｆ（Ｓｒ，Ｔａ）によって求める構成としてもよい。
【００６０】
本実施の形態では、コントローラ１００の照射量取得部１０３が、太陽光発電装置５０の発電量を示す発電情報から窓３０に照射される外光の照射量を取得する例を説明したが、本発明の範囲はこれに限られない。例えば、サーバ６０が天気予報を含む気候予測情報を配信し、コントローラ１００の照射量取得部１０３がサーバ６０から取得した天気予報と、窓３０の向き、高さ等の条件に基づいて、窓３０に照射される外光の照射量を予測する構成であってもよい。サーバ６０から取得した気候予測情報から照射量を予測することによって、太陽光発電装置５０が無い場合でも、本発明の機能および目的を果たすことができる。
【００６１】
また、温度調節システム１０００がコントローラ１００と通信可能に接続される照度センサを備え、照度センサが第１の部屋１１の照度を測定する構成であってもよい。コントローラ１００の照射量取得部１０３は、建屋内ネットワークＮ１を介して、照度センサが測定する照度を取得し、窓３０から入射する外光の照射量を算出することにより、太陽光発電装置５０の発電量やサーバ６０が配信する天気予報を取得しなくても、本発明の機能および目的を果たすことができる。
【００６２】
本実施の形態では、コントローラ１００が送風機４１に送風指令を送信する例を説明したが、温度調節システム１０００が送風機４１を備えない構成であってもよい。通風管４０を通じて第１の部屋１１の空気が第２の部屋１２に流入して、第２の部屋１２の温度が調節されることにより、温度調節システム１０００の設備を簡素化できる。
【００６３】
また、温度調節システム１０００の通風管４０が第１の部屋１１と第２の部屋１２とそれぞれ連通する空気口に開閉弁を備える構成であってもよい。コントローラ１００が送信する送風指令に合せて、通風管４０の開閉弁を開くよう制御することにより、第２の部屋１２の温度を調節する必要があるときのみ、第１の部屋１１の空気を流入することができる。
【００６４】
（実施の形態２）
上述の実施の形態１では、コントローラ１００の判定に基づき、第１の部屋１１から第２の部屋１２への送風を指令していた。実施の形態１で説明した温度調節システム１０００において、ユーザの位置情報を参照して、送風を指令するようにしてもよい。このように構成される実施の形態２について以下に説明する。なお、本実施の形態では、実施の形態１との相違点を中心に説明する。
【００６５】
図９は、実施の形態２に係る温度調節システムの構成例を示す図である。実施の形態２に係る温度調節システム２０００は、情報端末７０が広域ネットワークＮ２に接続され、コントローラ１００がコントローラ１２０に置き換わる点で実施の形態１に係る温度調節システム１０００と異なる。
【００６６】
情報端末７０は、建屋Ｈのユーザが所持するスマートフォンやタブレットなどの携帯端末である。情報端末７０は、ＧＰＳ（Ｇｌｏｂａｌ  Ｐｏｓｉｔｉｏｎｉｎｇ  Ｓｙｓｔｅｍ）などの位置検出機能を備えており、検出した位置情報を広域ネットワークＮ２に送信する。情報端末７０は、広域ネットワークＮ２を介して、コントローラ１２０と通信可能に接続される。情報端末７０は、広域ネットワークＮ２を介して、コントローラ１２０と直接接続されてもよいし、情報端末７０とコントローラ１２０とが広域ネットワークＮ２に接続される図示しない認証サーバを経由して、接続を確立する構成であってもよい。
【００６７】
コントローラ１２０は、広域ネットワークＮ２を介して、情報端末７０の位置情報を取得する。コントローラ１２０は、広域ネットワークＮ２を介して、情報端末７０に建屋Ｈにおける温度調節に関する情報を通知するとともに、通知に対する応答を情報端末７０から取得する。
【００６８】
図１０は、実施の形態２に係るコントローラ１２０の機能構成図である。コントローラ１２０は、位置情報取得部１２１、通知指示部１２２および応答取得部１２３を備え、送風判定部１０７および送風指示部１０８がそれぞれ送風判定部１２７および送風指示部１２８に置き換わる点以外は、実施の形態１に係るコントローラ１００と同じである。
【００６９】
位置情報取得部１２１は、広域ネットワークＮ２を介して、建屋Ｈのユーザが所持する情報端末７０の位置情報を取得して、取得した位置情報をユーザの位置情報として送風判定部１２７に出力する。送風判定部１２７は、第２の部屋１２の温度が基準値より低く、かつ、第２の部屋１２の温度が第１の部屋１１の温度より低い場合に、位置情報取得部１２１が出力したユーザの位置情報が建屋Ｈから限られた範囲内であることを示していれば、第１の部屋１１から第２の部屋１２に空気を送ると判定する。
【００７０】
通知指示部１２２は、送風判定部１２７が第１の部屋１１から第２の部屋１２に空気を送ると判定すると、第１の部屋１１から第２の部屋１２に空気を送ることをユーザに通知する指示を送信する。
【００７１】
図１１は、実施の形態２に係る情報端末７０が表示する画面の一例を示す図である。通知指示部１２２は、第１の部屋１１から第２の部屋１２に空気を送ることを通知するメッセージ７１０と、ユーザが第１の部屋１１から第２の部屋１２に空気を送ることに承諾する応答ボタン７２０および承諾しない応答ボタン７３０とを含む通知画面７００を情報端末７０に表示させる。図１１には、メッセージ７１０を「外光を利用して寝室をあたためますか？」とする例を示しているが、これに限らず、日射熱により温度が上昇した空気を第２の部屋１２に送ることをユーザが直感可能な表現であればよい。ここで、寝室は、建屋Ｈにおける第２の部屋１２に相当する。
【００７２】
応答取得部１２３は、情報端末７０が表示する通知画面７００に含まれる第１の部屋１１から第２の部屋１２に空気を送ることに承諾する応答ボタン７２０または承諾しない応答ボタン７３０のいずれかの操作入力を取得する。送風指示部１２８は、応答取得部１２３が第１の部屋１１から第２の部屋１２に空気を送ることに対するユーザの承諾を取得した場合に送風機４１に空気を送る指示を送信する。
【００７３】
次に実施の形態２に係るコントローラ１２０の動作について、図１２を参照して説明する。図１２は、実施の形態２に係るコントローラ１２０が送風機４１を制御する処理の一例を示すフローチャートである。実施の形態２に係るコントローラ１２０がルーバー３１を制御する処理は、図７と同じであり、説明を省略する。図１２において、ステップＳ１５１からステップＳ１５６までの各処理は、図８で説明したのと同じである。
【００７４】
ステップＳ１５３において、第２の部屋１２の温度が基準値以上、または、第２の部屋１２の温度が第１の部屋１１の温度以上であれば、ステップＳ１６１に進み、位置情報取得部１２１が広域ネットワークＮ２を介して、建屋Ｈのユーザが所持する情報端末７０の位置情報を取得する。ステップＳ１６１に続いて、ステップＳ１６２において、送風判定部１２７は、位置情報取得部１２１がステップＳ１６１で取得した情報端末７０の位置情報が建屋Ｈから限られた範囲内であることを示していれば、ステップＳ１５４に進み、情報端末７０の位置情報が建屋Ｈから限られた範囲内でないことを示していれば、ステップＳ１５５に進む。
【００７５】
ステップＳ１５４に続いて、ステップＳ１６３において、通知指示部１２２は、図１１に例示した通知画面７００を情報端末７０に表示させる。ステップＳ１６３に続いて、ステップＳ１６４において、応答取得部１２３は、第１の部屋１１から第２の部屋１２に空気を送ることに対するユーザの応答を情報端末７０から取得する。ステップＳ１６４に続いて、ステップＳ１６５において、応答取得部１２３がステップＳ１６４で取得した応答が第１の部屋１１から第２の部屋１２に空気を送ることに対する承諾である場合には、ステップＳ１５６に進み、送風指示部１２８が送風機４１に空気を送る指示を送信する。
【００７６】
一方、ステップＳ１６５において、応答取得部１２３がステップＳ１６４で取得した応答が第１の部屋１１から第２の部屋１２に空気を送ることに対する承諾でない場合には、ステップＳ１６６に進み、送風指示部１２８は、送風判定部１２７がステップＳ１５４で判定した第１の部屋１１から第２の部屋１２に空気を送る判定を取り消す。
【００７７】
ステップＳ１５５、ステップＳ１６５およびステップＳ１６６に続いて、送風指示部１２８は、ステップＳ１５６に進み、送風判定部１２７がステップＳ１５５で判定した結果または、応答取得部１２３がステップＳ１６４で取得した応答に基づき、送風機４１に指示を送信する。
【００７８】
以上で説明したように、実施の形態２に係るコントローラ１２０によれば、ユーザの位置情報を取得する位置情報取得部１２１を備え、送風判定部１２７は、位置情報取得部１２１が取得したユーザの位置情報が建屋Ｈから限られた範囲内であることを表す場合に、第１の部屋１１から第２の部屋１２に空気を送ると判定するので、帰宅する時間に合わせて、第２の部屋１２を快適な温度に調節することができる。
【００７９】
また、実施の形態２に係るコントローラ１２０によれば、第１の部屋１１から第２の部屋１２に空気を送ることをユーザに通知する通知指示部１２２と、  第１の部屋１１から第２の部屋１２に空気を送ることに対するユーザの応答を取得する応答取得部１２３と、を備え、送風指示部１２８は、応答取得部１２３が第１の部屋１１から第２の部屋１２に空気を送ることに対するユーザの承諾を取得した場合に、送風機４１に空気を送る指示を送信するので、ユーザの都合に合せて、第２の部屋１２を快適な温度に調節することができる。
【００８０】
本実施の形態では、コントローラ１２０が、ユーザが所持する情報端末７０の位置情報を取得し、取得した位置情報から第１の部屋１１から第２の部屋１２に空気を送るか否かを判定したのち、第１の部屋１１から第２の部屋１２に空気を送ることをユーザに通知する例を説明したが、コントローラ１２０がユーザに通知せずに空気を送る構成であってもよい。コントローラ１２０の送風判定部１２７が、情報端末７０の位置情報が建屋Ｈから限られた範囲内である場合に空気を送ると判定することにより、ユーザの帰宅に合せて、日射熱により温度が上昇した空気を第２の部屋１２に送ることができる。
【００８１】
また、本実施の形態では、コントローラ１２０が、ユーザが所持する情報端末７０の位置情報を取得し、取得した位置情報から第１の部屋１１から第２の部屋１２に空気を送るか否かを判定する例を説明したが、コントローラ１２０が位置情報を取得してもよいかを予めユーザに問う通知画面を情報端末７０に表示させる構成であってもよい。コントローラ１２０がユーザの許可を取得した場合のみ、コントローラ１２０の位置情報取得部１２１が情報端末７０の位置情報を取得することにより、ＧＰＳ機能を利用したくないユーザにも対応できる。
【００８２】
（実施の形態３）
上述の実施の形態１で説明した温度調節システム１０００において、コントローラ１００の制御状況を表示するようにしてもよい。このように構成される実施の形態３について以下に説明する。
【００８３】
図１３は、実施の形態３に係る温度調節システムの構成例を示す図である。実施の形態３に係る温度調節システム３０００は、表示端末８０が建屋内ネットワークＮ１に接続され、コントローラ１００がコントローラ１３０に置き換わる点で実施の形態１に係る温度調節システム１０００と異なる。
【００８４】
表示端末８０は、通信機能を有する液晶モニタやタブレット端末、または携帯電話やスマートフォンなどの通信機器で実現される。図１３では、表示端末８０が建屋内ネットワークＮ１を介して、コントローラ１３０と通信可能に接続される例を示しているが、これに限らない。例えば、表示端末８０は、広域ネットワークＮ２を介してコントローラ１３０と接続されてもよい。また、広域ネットワークＮ２に接続される図示しない認証サーバを経由して、コントローラ１３０との接続を確立する構成であってもよい。また、表示端末８０は、コントローラ１３０と専用線で直接接続される構成であってもよく、この場合、表示端末８０は、通信機能を備えていなくてもよい。
【００８５】
図１４は、実施の形態３に係るコントローラの機能構成図である。コントローラ１３０は、表示指示部１３９を備え、室温取得部１０１、遮光度合い決定部１０５および送風判定部１０７の出力が表示指示部１３９に入力される点以外は、実施の形態１に係るコントローラ１００と同じである。
【００８６】
表示指示部１３９は、表示端末８０に第１の部屋１１と第２の部屋１２を含む建屋Ｈの間取り図を表示させる。また、表示指示部１３９は、室温取得部１０１が取得した第１の部屋１１の温度と第２の部屋１２の温度をそれぞれ間取り図上の第１の部屋１１に相当する領域と第２の部屋１２に相当する領域に表示させる。
【００８７】
また、表示指示部１３９は、送風指示部１０８が送風機４１を稼動していれば、第１の部屋１１に相当する領域から第２の部屋１２に相当する領域に跨るよう矢印を表示させる。
【００８８】
指示部１０６が遮光部３１の遮光度合いになるルーバー３１ａの開閉度合いを遮光部３１に送信後に、室温取得部１０１が取得する第１の部屋１１の温度が上昇していれば、表示指示部１３９は、第１の部屋１１に相当する領域を例えば上昇温度に応じて暖色系の色で表示させる。
【００８９】
また、送風機４１を稼動中に室温取得部１０１が取得する第２の部屋１２の温度が上昇していれば、表示指示部１３９は、第２の部屋１２に相当する領域のうち、例えば上昇した温度に相当する面積を暖色系の色に変化させる。
【００９０】
図１５は、実施の形態３に係る表示端末８０が表示する画面の一例を示す図である。図１５（ａ）は、遮光部３１の遮光度合いが高く外光を入射しない状況であるときの表示例、図１５（ｂ）は、遮光部３１の遮光度合いが低く外光を入射する状況であるときの表示例、図１５（ｃ）は、送風機４１を稼動開始直後の表示例、図１５（ｄ）は、送風機４１を稼動開始後一定時間が経過したときの表示例を示している。
【００９１】
表示端末８０は、画面８００上に、建屋Ｈを構成する部屋の配置を簡略化した間取り８１０を表示する。図１５において、「和室」と表示された領域８１０１が第１の部屋１１に相当し、「寝室」と表示された領域８１０２が第２の部屋１２に相当する。
【００９２】
間取り８１０には、少なくとも第１の部屋１１に相当する領域と第２の部屋１２に相当する領域が含まれる。図１５（ａ）〜（ｄ）において、第１の部屋１１に相当する領域８１０１と、第２の部屋１２に相当する領域８１０２には、それぞれ室温取得部１０１が取得した第１の部屋１１の温度と、第２の部屋１２の温度が表示されている。        
【００９３】
図１５（ａ）において、第１の部屋１１には、外光が入射されないので、表示端末８０は、第１の部屋１１に相当する領域８１０１と、第２の部屋１２に相当する領域８１０２をいずれも無色で表示させる。
【００９４】
図１５（ｂ）は、第１の部屋１１の温度が外光の入射によって２８℃に上昇した例を示している。表示指示部１３９は、例えば、第１の部屋１１の上昇温度が大きければ濃赤、小さければ薄橙のように、第１の部屋１１の上昇温度の大きさに応じて第１の部屋１１に相当する領域８１０１の暖色の度合いが強くなるよう表示させてもよい。これにより、外光の照射によって第１の部屋１１の温度が上昇したことをユーザが視認できる。
【００９５】
図１５（ｃ）において、送風機４１を稼動開始後しばらくは第２の部屋１２の温度は変化しない。第１の部屋１１の空気を送ることにより第２の部屋１２の温度が上昇していないので、表示指示部１３９は、第２の部屋１２に相当する領域８１０２を無色で表示させる。
【００９６】
図１５（ｄ）は、送風機４１を稼動し続けることにより、図１５（ｃ）に示す状態から、第２の部屋１２の温度が上昇した例を示している。表示指示部１３９は、第２の部屋１２の上昇温度の大きさに応じて第２の部屋１２に相当する領域８１０２の一部の面積を暖色系の色に変化させる。これにより、第１の部屋１１の空気が送られることによって第２の部屋１２の温度が刻々と上昇していることをユーザが視認できる。
【００９７】
次に実施の形態３に係るコントローラ１３０の動作について、図１６を参照して説明する。図１６は、実施の形態３に係るコントローラ１３０が表示端末８０を制御する処理の一例を示すフローチャートである。実施の形態３に係るコントローラ１３０がルーバー３１を制御する処理、および送風機４１を制御する処理は、それぞれ図７および図８と同じであり、説明を省略する。
【００９８】
ステップＳ３７１において、室温取得部１０１は、建屋内ネットワークＮ１を介して、第１の温度センサ２１および第２の温度センサ２２からそれぞれ第１の部屋１１の温度および第２の部屋１２の温度を取得する。ステップＳ３７１に続いて、ステップＳ３７２において、表示指示部１３９は、表示端末８０に建屋Ｈの間取りを表示する指示を送信する。
【００９９】
ステップＳ３７２に続いて、ステップＳ３７３において、表示指示部１３９は、室温取得部１０１がステップＳ３７１で取得した第１の部屋１１の温度および第２の部屋１２の温度を、それぞれ建屋Ｈの間取り８１０における第１の部屋１１に相当する領域８１０１と第２の部屋１２に相当する領域８１０２に表示する指示を表示端末８０に送信する。  ステップＳ３７３に続いて、表示指示部１３９は、ステップＳ３７４において、遮光度合い決定部１０５が図７におけるステップＳ１０８またはステップＳ１１０で決定したルーバー３１の開閉度合いが全閉以外であれば、ステップＳ３７５に進み、全閉であれば、ステップＳ３７８に進む。
【０１００】
ステップＳ３７５において、遮光度合い決定部１０５が決定した遮光部３１の遮光度合いが前回から変化した、すなわちルーバー３１ａの開閉度合いが全閉から全閉以外に変化していれば、表示指示部１３９は、ステップＳ３７６に進み、変化していなければ、ステップＳ３７７に進む。
【０１０１】
表示指示部１３９は、ステップＳ３７６において、室温取得部１０１がステップＳ３７１で取得した第１の部屋１１の温度を入射開始温度として記憶し、ステップＳ３７７に進む。ステップＳ３７７において、表示指示部１３９は、室温取得部１０１がステップＳ３７１で取得した第１の部屋１１の温度から、ステップＳ３７６で記憶した入射開始温度を減じることにより、第１の部屋１１の上昇温度を求める。第１の部屋１１の上昇温度は、（第１の部屋１１の温度−入射開始温度）により算出される。
【０１０２】
一方、ステップＳ３７８において、遮光度合い決定部１０５が決定した遮光部３１の遮光度合いが前回から変化した、すなわちルーバー３１ａの開閉度合いが全閉以外から全閉に変化していれば、表示指示部１３９は、ステップＳ３７９に進み、変化していなければ、ステップＳ３８０に進む。
【０１０３】
表示指示部１３９は、ステップＳ３７９において、室温取得部１０１がステップＳ３７１で取得した第１の部屋１１の温度を入射終了温度として記憶し、ステップＳ３８０に進む。ステップＳ３８０において、表示指示部１３９は、室温取得部１０１がステップＳ３７１で取得した第１の部屋１１の温度と、ステップＳ３７９で記憶した入射終了温度のうちの小さい値から入射開始温度を減じることにより、第１の部屋１１の上昇温度を求める。第１の部屋１１の上昇温度は、（ｍｉｎ（第１の部屋１１の温度，入射終了温度）−入射開始温度）により算出される。これにより、外光を入射した後、ルーバー３１ａが全閉となった場合にも、外光の入射による第１の部屋１１の上昇温度を求めることができる。
【０１０４】
ステップＳ３７７およびステップＳ３８０に続いて、表示指示部１３９は、ステップＳ３８１において、間取り８１０における第１の部屋１１に相当する領域８１０１を、ステップＳ３７７またはステップＳ３８０で求めた上昇温度に応じた色で表示する指示を表示端末８０に送信する。ステップＳ３８１に続いて、表示指示部１３９は、ステップＳ３８２において、送風判定部１０７が図８におけるステップＳ１５４で（送風機４１を稼動して）、第１の部屋１１から第２の部屋１２に空気を送ると判定していれば、ステップＳ３８３に進み、送風判定部１０７が図８におけるステップＳ１５５で（送風機４１を停止して）、第１の部屋１１から第２の部屋１２に空気を送らないと判定していれば、ステップＳ３８７に進む。
【０１０５】
ステップＳ３８３において、表示指示部１３９は、第１の部屋１１に相当する領域８１０１から第２の部屋１２に相当する領域８１０２に跨る矢印を表示する指示を表示端末８０に送信する。ステップＳ３８３に続いて、表示指示部１３９は、ステップＳ３８４において、送風判定部１０７の判定が前回から変化した、すなわち空気を送らない判定から送る判定に変化していれば、ステップＳ３８５に進み、変化していなければ、ステップＳ３８６に進む。
【０１０６】
表示指示部１３９は、ステップＳ３８５において、室温取得部１０１がステップＳ３７１で取得した第２の部屋１２の温度を送風開始温度として記憶し、ステップＳ３８６に進む。ステップＳ３８６において、表示指示部１３９は、室温取得部１０１がステップＳ３７１で取得した第２の部屋１２の温度から、ステップＳ３８５で記憶した送風開始温度を減じることにより、第２の部屋１２の上昇温度を求める。第２の部屋１２の上昇温度は、（第２の部屋１２の温度−送風開始温度）により算出される。
【０１０７】
一方、ステップＳ３８７において、送風判定部１０７の判定が前回から変化した、すなわち空気を送る判定から送らない判定に変化していれば、表示指示部１３９は、ステップＳ３８８に進み、変化していなければ、ステップＳ３８９に進む。
【０１０８】
表示指示部１３９は、ステップＳ３８８において、室温取得部１０１がステップＳ３７１で取得した第２の部屋１２の温度を送風終了温度として記憶し、ステップＳ３８９に進む。ステップＳ３８９において、表示指示部１３９は、室温取得部１０１がステップＳ３７１で取得した第２の部屋１２の温度と、ステップＳ３８８で記憶した送風終了温度のうちの小さい値から送風開始温度を減じることにより、第２の部屋１２の上昇温度を求める。第２の部屋１２の上昇温度は、（ｍｉｎ（第２の部屋１２の温度，送風終了温度）−送風開始温度）により算出される。これにより、第１の部屋１１から第２の部屋１２に空気を送ることによる第２の部屋１２の上昇温度を求めることができる。
【０１０９】
ステップＳ３８６およびステップＳ３８９に続いて、表示指示部１３９は、ステップＳ３９０において、第２の部屋１２に相当する領域８１０２のうち、ステップＳ３８６またはステップＳ３８９で求めた上昇温度に応じた面積を暖色系の色で表示する指示を表示端末８０に送信する。
【０１１０】
以上で説明したように、実施の形態３に係るコントローラ１３０によれば、第１の部屋１１と第２の部屋１２を含む建屋Ｈの間取り図を表示させ、間取り図の第１の部屋１１に相当する領域を、外光の照射による第１の部屋１１の上昇温度に応じた形態で表示させる表示指示部１３９を備えるので、外光の照射による第１の部屋１１の温度上昇の効果をユーザがひと目でわかる。
【０１１１】
また、実施の形態３に係るコントローラ１３０によれば、表示指示部１３９は、間取り図の第２の部屋１２に相当する領域を、第１の部屋１１から第２の部屋１２に空気を送ることによる第２の部屋１２の上昇温度に応じた形態で表示させるので、外光を活用したかどうかを視認でき、省エネルギー効果をユーザが実感できる。
【０１１２】
また、各実施の形態において、第１の部屋１１から空気が送られる第２の部屋１２は、１つに限らず、複数の部屋であってもよい。また、第２の部屋１２は、居室に限らず、屋根裏や床下などの居室以外の空間であってもよい。これにより、第１の部屋１１に入射する外光を有効利用することが出来る。
【０１１３】
また、各実施の形態において、コントローラ１００，１２０，１３０が設けられる部屋は第２の部屋１２に限らず、第１の部屋１１であってもよいし、第１の部屋１１および第２の部屋１２以外であってもよい。また、広域ネットワークＮ２に接続される図示しないサーバがコントローラ１００，１２０，１３０の機能を備える構成であってもよい。
【０１１４】
図１７は、本発明の実施の形態１から実施の形態３に係るコントローラ１００，１２０，１３０のハードウェア構成例を示す図である。コントローラ１００，１２０，１３０は、プロセッサ１００１、メモリ１００２、インターフェース１００３で構成されている。コントローラ１００，１２０，１３０における室温取得部１０１、在室情報取得部１０２、照射量取得部１０３、気候情報取得部１０４、遮光度合い決定部１０５、指示部１０６、送風判定部１０７，１２７、送風指示部１０８，１２８、位置情報取得部１２１、通知指示部１２２、応答取得部１２３、表示指示部１３９の各機能は、それぞれプロセッサ１００１により実現される。プロセッサ１００１は、メモリ１００２に格納されるプログラムを実行するＣＰＵ（Ｃｅｎｔｒａｌ  Ｐｒｏｃｅｓｓｉｎｇ  Ｕｎｉｔ）である。メモリ１００２には、プロセッサ１００１が実行するプログラムが記憶される。
【０１１５】
インターフェース１００３は、室温取得部１０１、在室情報取得部１０２、照射量取得部１０３、気候情報取得部１０４、指示部１０６、送風指示部１０８，１２８、位置情報取得部１２１、通知指示部１２２、応答取得部１２３、表示指示部１３９が、コントローラ１００，１２０，１３０の外部と入出力する信号の送受信をそれぞれ行う。
【０１１６】
コントローラ１００，１２０，１３０における室温取得部１０１、在室情報取得部１０２、照射量取得部１０３、気候情報取得部１０４、遮光度合い決定部１０５、指示部１０６、送風判定部１０７，１２７、送風指示部１０８，１２８、位置情報取得部１２１、通知指示部１２２、応答取得部１２３、表示指示部１３９の各機能は、ソフトウェア、ファームウェア、またはソフトウェアとファームウェアとの組み合わせにより実現される。ソフトウェアやファームウェアは、プログラムとして記述され、メモリ１００２に格納される。プロセッサ１００１は、メモリ１００２に記憶されたプログラムを読み出して実行することにより、各部の機能を実現する。すなわち、コントローラ１００，１２０，１３０は、プロセッサ１００１により実行されるときに、コントローラ１００，１２０，１３０の室温取得部１０１、在室情報取得部１０２、照射量取得部１０３、気候情報取得部１０４、遮光度合い決定部１０５、指示部１０６、送風判定部１０７，１２７、送風指示部１０８，１２８、位置情報取得部１２１、通知指示部１２２、応答取得部１２３、表示指示部１３９を制御するステップが結果的に実行されることになるプログラムを格納するためのメモリ１００２をそれぞれ備える。
【０１１７】
また、これらのプログラムは、コントローラ１００，１２０，１３０の室温取得部１０１、在室情報取得部１０２、照射量取得部１０３、気候情報取得部１０４、遮光度合い決定部１０５、指示部１０６、送風判定部１０７，１２７、送風指示部１０８，１２８、位置情報取得部１２１、通知指示部１２２、応答取得部１２３、表示指示部１３９の手順や方法をそれぞれコンピュータに実行させるものであるともいえる。
【０１１８】
ここで、メモリとは、例えば、ＲＡＭ、ＲＯＭ、フラッシュメモリ、ＥＰＲＯＭ、ＥＥＰＲＯＭなどの、不揮発性または揮発性の半導体メモリや、磁気ディスク、フレキシブルディスク、光ディスク、コンパクトディスク、ミニディスク、ＤＶＤ等が該当する。図２６では、プロセッサ１００１およびメモリ１００２をそれぞれ一つで構成する例を示しているが、複数のプロセッサおよび複数のメモリが連携して上記機能を実行してもよい。
【０１１９】
その他、前記のハードウェア構成やフローチャートは一例であり、任意に変更および修正が可能である。
【０１２０】
プロセッサ１００１、メモリ１００２で構成されるコントローラ１００，１２０，１３０における室温取得部１０１、在室情報取得部１０２、照射量取得部１０３、気候情報取得部１０４、遮光度合い決定部１０５、指示部１０６、送風判定部１０７，１２７、送風指示部１０８，１２８、位置情報取得部１２１、通知指示部１２２、応答取得部１２３、表示指示部１３９の各機能を実現する中心となる部分は、専用のシステムによらず、通常のコンピュータシステムを用いて実現可能である。例えば、前記の動作を実行するためのプログラムを、コンピュータが読み取り可能なＣＤ−ＲＯＭ、ＤＶＤ−ＲＯＭなどの記録媒体に格納して配布し、前記プログラムをコンピュータにインストールすることにより、上述の各機能を実現することができるコンピュータを構成してもよい。そして、各機能をＯＳ（Ｏｐｅｒａｔｉｎｇ  Ｓｙｓｔｅｍ）とアプリケーションとの分担、またはＯＳとアプリケーションとの協同により実現する場合等には、ＯＳ以外の部分のみを記録媒体に格納してもよい。
【０１２１】
さらに、搬送波に各プログラムを重畳し、通信ネットワークを介して配信することも可能である。例えば、通信ネットワーク上の掲示板（ＢＢＳ，  Ｂｕｌｌｅｔｉｎ  Ｂｒｏａｄ  Ｓｙｓｔｅｍ）に当該プログラムを掲示し、ネットワークを介して当該プログラムを配信してもよい。そして、これらのプログラムを起動し、ＯＳの制御下で、他のアプリケーションプログラムと同様に実行することにより、上述の処理を実行できるように構成してもよい。
【０１２２】
以上、本発明の好ましい実施の形態について説明したが、本発明は係る特定の実施の形態に限定されるものではなく、本発明には、特許請求の範囲に記載された発明とその均等の範囲が含まれる。
【符号の説明】
【０１２３】
１０００，２０００，３０００  温度調節システム、  ２１  第１の温度センサ、  ２２  第２の温度センサ、  ３１  遮光部、  ４０  通風管、  ４１  送風機、  ５０  太陽光発電装置、  ６０  サーバ、  ７０  情報端末、  ８０  表示端末、  １００，１２０，１３０  コントローラ、  １０１  室温取得部、  １０２  在室情報取得部、  １０３  照射量取得部、  １０４  気候情報取得部、  １０５  遮光度合い決定部、  １０６  指示部、  １０７，１２７  送風判定部、  １０８，１２８  送風指示部、  １２１  位置情報取得部、  １２２  通知指示部、  １２３  応答取得部、  １３９  表示指示部、  １００１  プロセッサ、  １００２  メモリ、  １００３  インターフェース。
【図１】
2019174078.tif 000003
【図２】
2019174078.tif 000004
【図３】
2019174078.tif 000005
【図４】
2019174078.tif 000006
【図５】
2019174078.tif 000007
【図６】
2019174078.tif 000008
【図７】
2019174078.tif 000009
【図８】
2019174078.tif 000010
【図９】
2019174078.tif 000011
【図１０】
2019174078.tif 000012
【図１１】
2019174078.tif 000013
【図１２】
2019174078.tif 000014
【図１３】
2019174078.tif 000015
【図１４】
2019174078.tif 000016
【図１５】
2019174078.tif 000017
【図１６】
2019174078.tif 000018
【図１７】
2019174078.tif 000019